【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】光路となる開口部と、電気的制御により回転子が往復回動し、該回転子の回転中心が光軸と平行になるように配置された駆動手段と、該駆動手段に連動して往復回動する作動ピンと、前記回転子の回転に伴って第１の支点を中心に前記回転子の回転方向と同方向に回転される第１の羽根部材と、第２の支点を中心に前記作動ピンの回動に伴って前記回転子の回転方向と逆方向に回転される第２の羽根部材とを有し、前記第１および第２の羽根部材を回転させることで前記開口部を通過する光量を調節する光量調節装置において、
前記第１の支点、前記第２の支点、前記作動ピン、前記作動ピンの回転中心および前記開口部の中心は直線状に並んで配置され、前記作動ピンは前記第１の支点と前記第２の支点の間で往復回動することを特徴とする光量調節装置。
【請求項２】光路となる開口部と、電気的制御により回転子が往復回動し、該回転子の回転中心が光軸と平行になるように配置された駆動手段と、該駆動手段に連動して往復回動する作動ピンと、前記回転子の回転中心となる軸部に一端側が嵌合され、該軸部を第１の支点として前記回転子の回転方向と同方向に回転され、他端側が前記開口部に対して進退出する第１の羽根部材と、固定部材に設けられた軸部材に一端側が嵌合され、該軸部材を第２の支点として前記作動ピンの回動に伴って前記回転子の回転方向と逆方向に回転され、他端側が前記開口部に対して進退出する第２の羽根部材とを有し、
前記第１の支点、前記第２の支点、前記作動ピン、前記作動ピンの回転中心および前記開口部の中心は直線状に並んで配置され、前記回転子の回転により前記作動ピンは前記第１の支点と前記第２の支点の間で往復回動し、前記第１および第２の羽根部材を回転させて前記開口部を通過する光量を調節することを特徴とする光量調節装置。
【請求項３】前記直線状に並べて配置された前記第１の支点、前記第２の支点、前記作動ピンは、前記開口部の中心から放射方向に向かって、前記第２の支点、前記作動ピン、前記第１の支点の順に配置されており、
前記第１の羽根部材の質量をＭ１、前記第２の羽根部材の質量をＭ２とすると、
Ｍ１＜Ｍ２
の関係が成り立つように構成したことを特徴とする請求項１に記載の光量調節装置。
【請求項４】前記駆動手段は、外周面が周方向に分割して異なる極に交互に着磁された円筒形状のマグネット部をもち、回転中心を軸として回転可能な回転子と、前記回転子の前記軸方向に配置されたコイルと、１つ以上の歯形状の外側磁極部と内側磁極部が前記マグネット部の外周面と内周面に対向し、前記コイルにより励磁されるステータとから成り、
前記マグネット部の外周面に対向する前記歯形状の外側磁極部は前記マグネット部の外周面に所定の角度範囲に対向するものであって、該マグネット部の１極あたりの中心角に対する該外側磁極部１極あたりの中心角の比の値をＹ、該マグネット部の径方向の厚みに対する該マグネット部の着磁された１極あたりの円周上の長さの比の値をＸとすると、
Ｙ＜−０．３Ｘ＋０．６３
の条件を満たすように設定してあることを特徴とする請求項１から３の何れかに記載の光量調節装置。
【請求項５】前記回転子のマグネット部と前記外側磁極部との間に作用する磁力による吸引力が反対向きとなる領域を含み、かつ、前記マグネット部の着磁された極の中心と前記外側磁極部との中心が対向する領域を含まないように前記回転子の作動範囲を規制して、前記第１及び第２の羽根部材を所定の位置に保持する規制部材を有することを特徴とする請求項４に記載の光量調節装置。
【請求項６】前記駆動手段は、外周面が周方向に分割して異なる極に交互に着磁された円筒形状のマグネットと、前記マグネットと同心でかつ該マグネットの軸方向に配置されたコイルと、１つ以上の歯形状の外側磁極部が前記マグネットの外周面に対向し、前記コイルにより励磁されるステータと、前記コイルの内径部に挿入され、かつ、前記マグネットの内径部に固定されて該マグネットと共に前記回転子を構成する回転可能な出力軸とから成ることを特徴とする請求項１から３の何れかに記載の光量調節装置。
【請求項７】前記第１および第２の羽根部材はシャッタ羽根であり、前記作動ピンの往復回動に伴って前記シャッタ羽根の開放状態と閉鎖状態に切り換えることができることを特徴とする請求項１から６の何れかに記載の光量調節装置。
【請求項８】前記第１および第２の羽根部材は絞り羽根であり、前記作動ピンの往復回動に伴って互いに開口径の異なる第１の開口状態と第２の開口状態に切り換えることができることを特徴とする請求項１から６の何れかに記載の光量調節装置。
【請求項９】光軸方向に移動させられる対物レンズと、該対物レンズを通過する光量を調節する請求項１から８の何れかに記載の光量調節装置とを有し、該対物レンズおよび該光量調節装置の前記開口部を通過した被写体像を記録する撮像装置。
【手続補正２】
【補正対象書類名】明細書
【補正対象項目名】０００３
【補正方法】変更
【補正の内容】
【０００３】
図１２において、１０１は中央部に光路用の開口部１０１ａを持つ地板であり、１０２は第１の支点１０１ｂに回転可能に軸支されている第１のシャッタ羽根であり、１０３は第２の支点１０１ｃに回転可能に軸支され長穴が設けられている第２のシャッタ羽根であり、ムービングマグネット型モータ１０４の往復回転に伴って回転する駆動ピン１０４ａが前記第１および第２のシャッタ羽根１０２，１０３に設けられた長穴と嵌合することによって前記２枚のシャッタ羽根を相対的に往復作動させ、シャッタ装置の開口部１０１ａの開閉を行う。その際、駆動を安定的なものにするため、駆動ピンをある方向に付勢したり、シャッタ羽根の規制を行う規制部材を設けたりなどさまざまな工夫がされたものが数多く提案されている。
【手続補正３】
【補正対象書類名】明細書
【補正対象項目名】００１６
【補正方法】変更
【補正の内容】
【００１６】
【課題を解決するための手段】上記第１の目的を達成するために、本発明は、光路となる開口部と、電気的制御により回転子が往復回動し、該回転子の回転中心が光軸と平行になるように配置された駆動手段と、該駆動手段に連動して往復回動する作動ピンと、前記回転子の回転に伴って第１の支点を中心に前記回転子の回転方向と同方向に回転される第１の羽根部材と、第２の支点を中心に前記作動ピンの回動に伴って前記回転子の回転方向と逆方向に回転される第２の羽根部材とを有し、前記第１および第２の羽根部材を回転させることで前記開口部を通過する光量を調節する光量調節装置において、前記第１の支点、前記第２の支点、前記作動ピン、前記作動ピンの回転中心および前記開口部の中心が直線状に並んで配置され、前記作動ピンが前記第１の支点と前記第２の支点の間で往復回動する光量調節装置とするものである。
【手続補正４】
【補正対象書類名】明細書
【補正対象項目名】００１７
【補正方法】変更
【補正の内容】
【００１７】
同じく上記第１の目的を達成するために、本発明は、光路となる開口部と、電気的制御により回転子が往復回動し、該回転子の回転中心が光軸と平行になるように配置された駆動手段と、該駆動手段に連動して往復回動する作動ピンと、前記回転子の回転中心となる軸部に一端側が嵌合され、該軸部を第１の支点として前記回転子の回転方向と同方向に回転され、他端側が前記開口部に対して進退出する第１の羽根部材と、固定部材に設けられた軸部材に一端側が嵌合され、該軸部材を第２の支点として前記作動ピンの回動に伴って前記回転子の回転方向と逆方向に回転され、他端側が前記開口部に対して進退出する第２の羽根部材とを有し、前記第１の支点、前記第２の支点、前記作動ピン、前記作動ピンの回転中心および前記開口部の中心が直線状に並んで配置され、前記回転子の回転により前記作動ピンが前記第１の支点と前記第２の支点の間で往復回動し、前記第１および第２の羽根部材を回転させて前記開口部を通過する光量を調節する光量調節装置とするものである。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
また、上記第２の目的を達成するために、本発明は、上記記載の本発明の構成に加えて、前記駆動手段が、外周面が周方向に分割して異なる極に交互に着磁された円筒形状のマグネット部をもち、回転中心を軸として回転可能な回転子と、前記回転子の前記軸方向に配置されたコイルと、１つ以上の歯形状の外側磁極部と内側磁極部が前記マグネット部の外周面と内周面に対向し、前記コイルにより励磁されるステータとから成り、前記マグネット部の外周面に対向する前記歯形状の外側磁極部が前記マグネット部の外周面に所定の角度範囲に対向するものであって、該マグネット部の１極あたりの中心角に対する該外側磁極部１極あたりの中心角の比の値をＹ、該マグネット部の径方向の厚みに対する該マグネット部の着磁された１極あたりの円周上の長さの比の値をＸとすると、
Ｙ＜−０．３Ｘ＋０．６３
の条件を満たすように設定してある光量調節装置とするものである。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
また、上記第１および第２の目的を達成するために、本発明は、光軸方向に移動させられる対物レンズと、該対物レンズを通過する光量を調節する上記記載の光量調節装置とを有し、該対物レンズおよび該光量調節装置の前記開口部を通過した被写体像を記録する撮像装置とするものである。